(57)【要約】【課題】ユーザーがノイズを感じないようなファンの制御方法を提供する。【解決手段】ファンの回転速度を調整するためのファンの制御方法を提供する。前記方法は、第１モード値から回転速度変化の範囲にファンの回転速度を調整すること；および時間内に前記回転速度変化の範囲内で前記ファンの回転速度変化を調整することを含むものであり、前記回転速度変化の範囲の上限は、第２モード値に第１変化値を加えたものであり、前記回転速度変化の範囲の下限は、前記第２モード値から第２変化値を引いたものである。このようにして、ユーザーがファンから出る音をノイズとして認識することがないようにする。【選択図】図２
2007187147.tif 000002
【特許請求の範囲】
【請求項１】
ファンの回転速度を調整することによるファンの制御方法において、
ファンの回転速度を第１モード値から所定の回転速度変化の範囲に調整するとき、前記回転速度変化の範囲の上限が、第２モード値に第１変化値を加えたものであり、前記回転速度変化の範囲の下限が、前記第２モード値から第２変化値を引いたものであること；並びに
一定時間内に前記回転速度変化の範囲内で前記ファンの回転速度変化を調整すること
を含むものであるファンの制御方法。
【請求項２】
前記第１変化値が、第２変化値に等しいものである請求項１記載のファンの制御方法。
【請求項３】
前記第１変化値が、予め定められた第１変化プリセット値である請求項１記載のファンの制御方法。
【請求項４】
前記第１変化値が、ランダムテーブル内の第１変化ランダム値である請求項１記載のファンの制御方法。
【請求項５】
前記第１変化値が、ランダムパラメーターとともに計算式により計算される第１変化演算値である請求項１記載のファンの制御方法。
【請求項６】
前記第２変化値が、予め定められた第２変化プリセット値である請求項１記載のファンの制御方法。
【請求項７】
前記第２変化値が、ランダムテーブル内の第２変化ランダム値である請求項１記載のファンの制御方法。
【請求項８】
前記第２変化値が、ランダムパラメーターとともに計算式により計算される第２変化演算値である請求項１記載のファンの制御方法。
【請求項９】
前記第１モード値が、回転速度変化の範囲内にはないかまたは０である請求項１記載のファンの制御方法。
【請求項１０】
前記時間の長さが、予め定められた時間プリセット値である請求項１記載のファンの制御方法。
【請求項１１】
前記時間の長さが、ランダムテーブル内の時間ランダム値である請求項１記載のファンの制御方法。
【請求項１２】
前記時間の長さが、ランダムパラメーターとともに計算式により計算される時間演算値である請求項１記載のファンの制御方法。
【請求項１３】
更に：
前記時間内に前記回転速度変化の範囲内で調整された後、前記回転速度変化の範囲から第３モード値に前記ファンの回転速度を調整することを含むものである請求項１記載のファンの制御方法。
【請求項１４】
前記時間が、前記回転速度変化の範囲内のファンの回転速度の調整時間に基づき複数の時間区分に分割され、前記時間区分の長さが時間区分プリセット値、時間区分ランダム値または時間区分演算値により決定される請求項１３記載のファンの制御方法。
【請求項１５】
前記時間区分の長さが、予め定められた時間区分プリセット値である請求項１４記載のファンの制御方法。
【請求項１６】
前記時間区分の長さが、ランダムテーブル内の時間区分ランダム値である請求項１４記載のファンの制御方法。
【請求項１７】
前記時間区分の長さが、ランダムパラメーターとともに計算式により計算される時間区分演算値である請求項１４記載のファンの制御方法。
【請求項１８】
前記第３モード値の回転速度が、前記第２モード値に等しいものである請求項１３記載のファンの制御方法。
【請求項１９】
前記第３モード値の回転速度が、前記回転速度変化の範囲内ではないかまたは０である請求項１３記載のファンの制御方法。
【請求項２０】
前記ファンの回転速度を調整するステップが、前記ファンに提供される電圧を調節することにより前記ファンの回転速度を調整することを含むものである請求項１記載のファンの制御方法。
【発明の詳細な説明】
【技術分野】
【０００１】
本発明は、ファンの制御方法に関する。
【背景技術】
【０００２】
科学技術の進歩とともに、ノートブックまたはデスクトップコンピューターのような電子デバイスが広く使用されるようになっている。一般に、作動中の電子デバイスにより発生される廃熱が電子デバイスの処理性能に影響を及ぼすことを防止するため、廃熱を消散させるために通常ファンが使用される。この他、現在の技術は、電子デバイスの温度に基づきソフトウェアプログラムによりファンの回転速度を直接的に調整することで散熱率を柔軟に調節することができる。
【０００３】
図１は、従来技術のファンの回転速度制御方法の概略図であり、水平座標が時間を示し、垂直座標がファンの回転速度を示すものである。図１を参照すると、ファンは、回転速度に対し低速、中速および高速のモード値を有し、それぞれ2000,3000および4000rpmに対応する。ファンの回転速度は、ファンの入力電圧により決定される。先ず、ファンは、低速モード値（2000rpm）の回転速度で回転され、時間点ｔ１１において、ファンの回転速度は、散熱率を上昇させるために中速モード値（3000rpm）に調整される。その後、時間点ｔ１３において、ファンの回転速度は、全速で廃熱を消散させるために高速モード値（4000rpm）に調整される。時間により異なる散熱の要求がファンの回転速度を調整することにより満たされることができる。
【発明の開示】
【発明が解決しようとする課題】
【０００４】
ファンは、作動中に音を出すものである。ファンがより速く回転する時、ファンから出る音の音量、すなわちそのデシベル（ｄＢ）値および周波数もより高くなる。音響学の研究から分かるように、人は連続的な単純音をノイズとして感じるものである。従って、ファンの回転速度が一定時間において、低速、中速および高速モード値それぞれに維持されると、それぞれのモードにおいてファンにより発生される音は、連続的な単純音であり、ユーザーによりノイズとして感じられる。特に、ファンがより速く回転する時、ファンにより発生される高ｄＢ値および高周波数の音は、ユーザーにより大きなノイズとして感じられる可能性がある。
【０００５】
従って、ファンの回転速度が切り替えられる時、例えば、時間点ｔ１１において、ファンの回転速度は、低速モード値から中速モード値に調整され、ファンにより発生される単純音（ノイズ）のｄＢ値および周波数が変更される。そして、ユーザーはノイズを感じることにより気分が悪くなる可能性がある。特に、ｔ１１からｔ１２の間において、ユーザーはモード切り替えの後に単純音（ノイズ）が気にかかるようであり、ユーザーはノイズに対して嫌悪感を有する可能性がある。
【０００６】
［発明の目的］
そこで、本発明の目的は、ユーザーがノイズを感じないようなファンの制御方法を提供することにある。
【課題を解決するための手段】
【０００７】
上記およびその他の目的を満たすため、本発明は、ファンの回転速度を調整することに適したファンの制御方法を提供する。その方法は、第１モード値から所定の回転速度変化の範囲にファンの回転速度を調整するものであって、そのうち、回転速度変化の範囲の上限は、第２モード値に第1変化値を加えたものでり、回転速度変化の範囲の下限は、第２モード値から第２変化値を引いたものであること；所定時間内に所定の回転速度変化の範囲内のファンの回転速度を調整することを含むものである。
【０００８】
本発明の実施形態にかかるファンの制御方法中、第1変化値が第２変化値に等しいものである。
【０００９】
本発明の実施形態にかかるファンの制御方法中、第1変化値が第１変化プリセット値、第１変化ランダム値または第１変化演算値である。
【００１０】
本発明の実施形態にかかるファンの制御方法中、第２変化値が第２変化プリセット値、第２変化ランダム値または第２変化演算値である。
【００１１】
本発明の実施形態にかかるファンの制御方法中、第１モード値が回転速度変化の範囲内にはないかまたは０である。
【００１２】
本発明の実施形態にかかるファンの制御方法中、時間の長さが時間プリセット値、時間ランダム値または時間演算値である。
【００１３】
本発明の実施形態にかかるファンの制御方法は、更に、ファンの回転速度が時間内の回転速度変化の範囲で調整された後、回転速度変化の範囲から第３モード値にファンの回転速度を調整することを含むものである。
【００１４】
本発明の実施形態にかかるファンの制御方法中、回転速度変化の範囲でファンの回転速度の調整時間に関しては、時間を複数の時間区分に分割することができる。その時間区分の長さが、時間区分プリセット値、時間区分ランダム値または時間区分演算値により決定される。
【００１５】
本発明の実施形態にかかるファンの制御方法中、第３モード値の回転速度が第２モード値である。
【００１６】
本発明の実施形態にかかるファンの制御方法中、第３モード値の回転速度が回転速度変化の範囲内にはないかまたは０である。
【００１７】
本発明の実施形態にかかるファンの制御方法中、ファンの回転速度を調整するステップがファンに提供される電圧を調節することによりファンの回転速度を調整することを含むものである。
【００１８】
本発明の実施形態にかかるファンの制御方法中、第1変化プリセット値、第２変化プリセット値、時間プリセット値および時間区分プリセット値は、予め定められたものである。
【００１９】
本発明の実施形態にかかるファンの制御方法中、第1変化ランダム値、第２変化ランダム値、時間ランダム値および時間区分ランダム値は、ランダムテーブル内の値である。
【００２０】
本発明の実施形態にかかるファンの制御方法中、第1変化演算値、第２変化演算値、時間演算値および時間区分演算値は、ランダムパラメーターとともに計算式により計算される値である。
【００２１】
［作用］
上記のように、本発明の実施形態にかかるファンの制御方法中、ファンにより発生される音は、もはや連続する単純音ではなく、変動する可聴周波数を有する特徴的な音である。従って、ユーザーがファンから出される音をノイズとして認識しないのである。
【発明の効果】
【００２２】
本発明のファンの制御方法は、少なくとも以下の長所を有する。
1.回転速度のモード値を切り替える間、ファンは、単純音ではなく変動する可聴周波数を有する特徴的な音を発生する。従って、ユーザーは、音をノイズとして感じることなく、可聴周波数の変化を伴う音として感じるのである。従って、ファンは動作中も変動する可聴周波数を有する特徴的な音を発生することができ、ユーザーがノイズを感じることを防止する。
【００２３】
２.本方法は、ソフトウェアによりファンの入力電圧を調整することでファンの回転速度を直接的に調整することができ、ファンに余分な変更をさせる必要がない。
【発明を実施するための最良の形態】
【００２４】
通常、ファンは、複数のモード値（前記したような低速、中速および高速モード値）の回転速度を有する。ファンの回転速度はファンのシステム温度に基づきファンの入力電圧を調節することにより調整することができるから、ファンが最適の効率で散熱することができる。しかしながら、ファンの回転速度が２つのモード値の間で切り替えられる時、ユーザーは、ファンの音の変化を感じるが、ファンより発生された音が単純音である時、ユーザーは、ファンがノイズを出していると強く感じるのである。
【００２５】
上記の問題を解決するため、本発明は、ソフトウェアによりファンの回転速度を制御するもので、モード値の切り替えの間にファンより発生される音は、もはや連続的な単純音ではなく、むしろ変動する可聴周波数を有する特徴のある音となる。結果として、ユーザーはファンが出す音をノイズとして感じないのである。説明を明確にするため、モード値の切り替えにおけるファンの状態が以下に詳細に記載される。
【００２６】
図２は、本発明の実施形態にかかるファンの制御方法の流れ図であり、図３Aは、図２の流れに基づくファンの回転速度制御方法の概略図であり、水平座標が時間を示し、垂直座標がファンの回転速度を示すものである。図２および図３Aを参照すると、本発明のファンの制御方法は、ファンの回転速度を調整することに適している。その方法は、以下のステップを含むものである。先ず、ステップＳ１１０に示されるように、ファンの回転速度は、第１モード値ｆ１から回転速度変化の範囲Ｒに調整され、回転速度変化の範囲Ｒの上限は、第２モード値ｆ２に第１変化値Δｖ１を加えたものであり、回転速度変化の範囲Ｒの下限は、第２モード値ｆ２から第２変化値Δｖ２を引いたものである。
【００２７】
特に、時間点ｔ２１において、ファンの回転速度は、第１モード変化ｆ１から第２モード変化ｆ２に調整されるため、ファンの散熱率を調整する。本発明は第２モード値ｆ２を基準値とし、第２モード値ｆ２に第１変化値Δｖ１を加えたもの及び第２変化値Δｖ２を引いたものがそれぞれ、回転速度変化の範囲Ｒとして使用される。更に、ファンの回転速度は、第１モード値ｆ１から回転速度変化の範囲Ｒのどの値にも調整されることができる。
【００２８】
次に、ステップＳ１２０に基づき、ファンの回転速度は、時間Ｔにおいて、回転速度変化の範囲Ｒで調整される。ファンの回転速度が変化されることに伴い、ファンより発生される音の可聴周波数も変化する。このように、ユーザーは、可聴周波数の変化を伴う音を感じ、その音をノイズとして認識しない。従って、ユーザーがノイズと感じる問題を解決することができる。本実施形態中、ファンの回転速度は、時間Ｔにおいて何度か調整され、確実にユーザーがファンから出る音をノイズとして認識しないようにする。
【００２９】
図３Aを参照すると、第１変化値Δｖ１は、第１変化プリセット値、第１変化ランダム値または第１変化演算値とすることができる。第１変化プリセット値は、予め定められた値であり、第１変化ランダム値は、ランダムテーブル内の値である。多様な第１変化値Δｖを得るため、第１変化演算値は、ランダムパラメーターとともに計算式により計算されることができる。更に、第２変化値Δｖ２は、第２変化プリセット値、第２変化ランダム値または第２変化演算値とすることができる。第２変化プリセット値は、予め定められた値であり、第２変化ランダム値は、ランダムテーブル内の値である。多様な第２変化値Δｖを得るため、第２変化演算値もまたランダムパラメーターとともに計算式により計算することができる。本実施形態中、第１変化値Δｖ１は、第２変化値Δｖ２に等しい。当然、他の実施形態において、第１変化値は、第２変化値と異なる値であることができる。更に、第１変化値Δｖ１が第１変化ランダム値または第１変化演算値である時、あるいは第２変化値Δｖ２が第２変化ランダム値または第２変化演算値である時、第１変化値Δｖ１および第２変化値Δｖ２が多様な変化を有し、回転速度変化の範囲Ｒは不規則に変更される。従って、ユーザーは、時間Ｔにおいて可聴周波数の変化をより多く有する音を感じることができる。
【００３０】
上記のように、本発明の第1変化値Δｖ１および第２変化値Δｖ２は、制限されるものではない。即ち、回転速度変化の範囲Ｒは制限されないけれども、本実施形態中、回転速度変化の範囲Ｒは、第２モード値ｆ２以外のモード値（例えば、第1モード値ｆ１）を含まないものである。従って、ユーザーがノイズを感じないという前提において、ファンがなお第２モード値ｆ２を用いた演算に類似した散熱率に達することができる。
【００３１】
言い換えれば、第1モード値ｆ１が、例えば、回転速度変化の範囲Ｒ内ではない値である。更に、静止しているファンが回転を開始する時、第1モード値ｆ１が０である。
【００３２】
再度、図３Aを参照すると、本発明は、時間Ｔを回転速度変化の範囲Ｒのファンの回転速度の調整時間に基づいて、複数の時間区分Δｔ（Δｔ１,Δｔ2,Δｔ３...）に分割している。時間Ｔの長さが、例えば、時間プリセット値、時間ランダム値または時間演算値であり、時間プリセット値が予め定められた値であり、時間ランダム値がランダムテーブル内の値である。多様な時間Ｔを得るため、時間演算値がランダムパラメーターとともに計算式により計算されることができる。時間区分Δｔ（Δｔ１,Δｔ2,Δｔ３...）の長さが時間区分プリセット値、時間区分ランダム値または時間区分演算値により決定される。時間区分プリセット値が予め定められた値であり、時間区分ランダム値がランダムテーブル内の値である。多様な時間区分Δｔを得るため、時間区分演算値がランダムパラメーターとともに計算式により計算されることができる。ところで、本実施形態は、時間Ｔを６個の時間区分Δｔ（Δｔ１〜Δｔ６）に分割するが、本発明において、時間区分Δｔの数は制限されるものではない。従って、時間Ｔが時間ランダム値または時間演算値である時、または時間区分Δｔが時間区分ランダム値あるいは時間区分演算値である時、時間Ｔおよび時間区分Δｔの値は多様であり、調整時間が不規則であるから、ユーザーに可聴周波数の変化をより多く有する音を感じさせる。
【００３３】
図２および図３Aを同時に参照すると、ステップＳ１３０に示されるように、ファンの回転速度は、回転速度変化の範囲Ｒから第３モード値ｆ３に調整され、本実施形態中、第３モード値は、第２モード値に等しいので、ファンの固定回転速度を維持する。特に、ファンの回転速度は、時間点ｔ２２において、回転速度変化の範囲Ｒから第３モード値ｆ３に調整される。
【００３４】
上記のように、ファンが配置されるシステム状態が変更される時、ファンの回転速度は、適切な散熱率を提供するよう調整されなければならいから、ステップＳ１１０〜Ｓ１３０が目的を達成するまで繰り返される。本実施例中、ステップＳ１１０は、時間点ｔ２３において繰り返されるが、当業者であれば容易に推定でき、ここに詳細を記載しない。更に、ユーザーがノイズを感じることを防止するため、本発明は、ｔ２１からｔ２３の間にファンの回転速度を連続的に調整する。以下に、図を参考にして他の実施形態を説明する。
【００３５】
図３Bは、図２の流れに基づく他のファン回転速度制御方法の概略図であり、水平座標が時間を示し、垂直座標がファンの回転速度を示すものである。図２および図３Bを参照すると、本実施形態のファン制御方法は、上記実施形態に類似しており、その違いは、ファンの回転速度が時間Ｔ’において回転速度変化の範囲Ｒで調整された後、回転速度変化の範囲Ｒから第３モード値ｆ３’に調整され、第３モード値ｆ３’が回転速度変化の範囲Ｒ内にないことである。更に、動作中にファンが停止されなければならない時、第３モード値ｆ３’は０である。
【００３６】
以上のごとく、この発明を最良の実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【図面の簡単な説明】
【００３７】
【図１】従来技術のファン回転速度制御方法の概略図である。
【図２】本発明の実施形態にかかるファン制御方法の流れ図である。
【図３Ａ】図２の流れに基づくファン回転速度制御方法の概略図である。
【図３Ｂ】図２の流れに基づく他のファン回転速度制御方法の概略図である。
【符号の説明】
【００３８】
ｆ１  第１モード値
ｆ２  第２モード値
ｆ３,ｆ３’  第３モード値
Ｒ  回転速度変化の範囲
Ｓ１１０〜Ｓ１３０  ステップ
Ｔ，Ｔ’  時間
ｔ１１，ｔ１２,ｔ１３，ｔ２１，ｔ２２，ｔ２３  時間点
Δｔ、Δｔ１〜Δｔ６  時間区分
Δｖ１  第１変化値
Δｖ２  第２変化値
【図１】
2007187147.tif 000003
【図２】
2007187147.tif 000004
【図３Ａ】
2007187147.tif 000005
【図３Ｂ】
2007187147.tif 000006